(57)【特許請求の範囲】
【請求項１】
１方向に開口を有し、その開口上端に切り欠き部を備えた、平面視略長方形の略箱型のカバーと、１方向に開口を有し、その開口上端に切り欠き部を備え、その切り欠き部と前記カバーの切り欠き部とが対向するように前記カバーと組み合わされて略箱型の外郭を構成する平面視略長方形の略箱型のベースと、前記カバーの切り欠き部と前記ベースの切り欠き部とで形成される開口からその一部が露出するスライド式のスイッチ操作部とを備えたドアホン装置において、前記スイッチ操作部を摺動自在に支持するリブを、前記カバー及び前記ベースに形成したことを特徴とするドアホン装置。
【発明の詳細な説明】
【０００１】
【発明の属する技術分野】
本発明は、ドアホン子器とドアホン親機間で通話を行うドアホン装置に関するものである。
【０００２】
【従来の技術】
玄関等の屋外にドアホン子器を設け、室内にドアホン親機を設けて通話を行うドアホン装置がある。ドアホン装置のドアホン親機の概略構造を図４の分解斜視図に基いて説明する。但し、本発明の特徴に関連する部分のみを図示し他の部分は図示を省略する。図で、１は、１方向に開口を有する、平面視略長方形の略箱型のカバーで、底面にはスピーカー穴１ａが形成され、開口上端には、呼出音量調整用のスイッチ操作部２のつまみ部２ａの一部が納まる略Ｕ字状の切り欠き部１ｂが形成され、通話する際に操作される操作釦３、室内側の副親器を呼び出す場合に操作される室内呼出釦４が取り付けられている。スイッチ操作部２は、図に示すように、平面視略平板状のベース部２ａと、ベース部２ａの一方の面上に立設された平面視略長方形状のつまみ部２ｂと、ベース部２ａの他方の面上に立設された２つの突起部２ｃとを備えている。
【０００３】
また、５は、１方向に開口を有し、その開口上端に略Ｕ字状の切り欠き部５ａを備え、その切り欠き部５ａとカバー１の切り欠き部１ｂとが対向するようにカバー１と組み合わされて略箱型の外郭を構成する平面視略長方形の略箱型のベースである。さらに、ベース５の底面には、ベース５の裏面側にネジ端子を露出させるための開口５ｂ、ベース５の裏面側に速結端子６を露出させるための開口５ｃが形成されている。
【０００４】
次に、図５に基いてベース５の切り欠き部５ａ近傍の構造について説明する。図５（ａ）は平面図、図５（ｂ）はＡ−Ａ断面図、図５（ｃ）は側面図である。図で、切り欠き部５ａが形成されている側面の内側近傍には、ベース５の底面から略平板状のリブ５ｄが２つ所定間隔を隔てて立設されており、リブ５ｄには、スイッチ操作部２のベース部２ａの一端側が納まる溝５ｅが形成されている。リブ５ｄの高さ寸法及び溝５ｅの深さ寸法は、スイッチ操作部２のベース部２ａの一端側を溝５ｅ内部に納めた場合、スイッチ操作部２のベース部２ａの裏面側（突起部２ｃが形成されている側）の面の一部が、ベース部２ａの略幅寸法にわたって、リブ５ｄに当接し支持されるように構成されている。
【０００５】
図６に、ベース５にスイッチ操作部２、カバー１を取り付けた状態を示す。図６は側面方向の部分断面図で、前述したように、スイッチ操作部２のベース部２ａの一端側が、ベース５の溝５ｅに納まり、スイッチ操作部２のベース部２ａの裏面側の面の一部が、ベース部２ａの略幅寸法にわたって、リブ５ｄに当接し支持されるように構成されている。
【０００６】
図４に基いてドアホン装置の他の構成について説明する。７はベース５の内部に固定される基板で、基板７上には、音声を入力するためのマイク８、カバー１に取り付けられた操作釦３に当接する位置に設けられ、操作釦３に対する操作を検知する押釦スイッチ９、カバー１の内側底面にネジで固定されるスピーカー１０にリード線１１によって接続されたコネクタ１２と嵌合しスピーカー１０を基板７上に形成された回路と電気的に接続する基板側コネクタ１３、スイッチ操作部２の突起部２ｃと嵌合し、スイッチ操作部２の摺動に合わせてそのポジションが切り換わるスライドスイッチ１４が実装されている。また、基板７にはリード線１５によってトランス１６が接続されている。
【０００７】
【発明が解決しようとする課題】
図４に示した構造のドアホン親機を組み立てる場合、ベース５に基板７をネジ等（図示省略）で固定し、スイッチ操作部２のベース部２ａを、ベース５の溝５ｅに納めて、スイッチ操作部２をベース５に取り付ける。この時、スライドスイッチ１４のつまみ部１４ａが、スイッチ操作部２の２つの突起部２ｃ間に納まるようにする。これにより、筐体外部に露出したスイッチ操作部２のつまみ部２ｂを摺動させることによって、スライドスイッチ１４のつまみ部１４ａが摺動し、スライドスイッチ１４のポジションを切り替えることができる。しかし、スイッチ操作部２のベース部２ａの裏面側の面の一部が、ベース部２ａの略幅寸法にわたって、リブ５ｄに当接し支持されるように構成されているため、リブ５ｄが長くなり折れ易いという問題点があった。
【０００８】
本発明は、上記問題点に鑑みなされたもので、その目的とするところは、スイッチ操作部のベース部を支持するリブの折れを防止することができるドアホン装置の構造を提供することにある。
【０００９】
【課題を解決するための手段】
請求項１記載のドアホン装置は、１方向に開口を有し、その開口上端に切り欠き部を備えた、平面視略長方形の略箱型のカバーと、１方向に開口を有し、その開口上端に切り欠き部を備え、その切り欠き部と前記カバーの切り欠き部とが対向するように前記カバーと組み合わされて略箱型の外郭を構成する平面視略長方形の略箱型のベースと、前記カバーの切り欠き部と前記ベースの切り欠き部とで形成される開口からその一部が露出するスライド式のスイッチ操作部とを備えたドアホン装置において、前記スイッチ操作部を摺動自在に支持するリブを、前記カバー及び前記ベースに形成したことを特徴とするものである。
【００１０】
【発明の実施の形態】
図１乃至図３に基いて本発明のドアホン装置の一実施形態について説明する。但し、本発明の特徴は、カバー１及びベース５の構造にあるので、図４に示した構成と同等構成について同符号を付し詳細な説明を省略することとする。図１は、本発明のドアホン装置のベース５に、スイッチ操作部２及びカバー１を取り付けた状態を示す図で、（ａ）は外側側面図、（ｂ）は部分断面図である。図２はベース５を示す図で、（ａ）は平面図、（ｂ）はＢ−Ｂ断面図、（ｃ）は外側側面図である。図３はカバー１を示す図で、（ａ）は平面図、（ｂ）はセンターライン断面図、（ｃ）は外側側面図である。
【００１１】
本発明のドアホン装置は、カバー１及びベース５の両方に、スイッチ操作部２を摺動自在に支持するリブを形成したことを特徴とするものである。
【００１２】
まず、図２に基いてベース５の構造について説明する。図で、切り欠き部５ａが形成されている側面の内側近傍には、ベース５の底面から略平板状のリブ５ｆが２つ所定間隔を隔てて立設されており、リブ５ｆには、スイッチ操作部２のベース部２ａの一端側が納まる溝５ｇが形成されている。リブ５ｆの高さ寸法及び溝５ｇの深さ寸法は、スイッチ操作部２のベース部２ａの一端側を溝５ｇ内部に納めた場合、スイッチ操作部２のベース部２ａの裏面側（突起部２ｃが形成されている側）の面の一部が、ベース部２ａの幅寸法の略半分にわたって、リブ５ｄに当接し支持されるように構成されている。
【００１３】
次に、図３に基いてカバー１の構造について説明する。カバー１にもベース５に形成したリブ５ｆと同様のリブを形成している。図で、切り欠き部１ｂが形成されている側面の内側近傍には、カバー１の底面から略平板状のリブ１ｃが２つ所定間隔を隔てて立設されており、リブ１ｃには、スイッチ操作部２のベース部２ａの一端側が納まる溝１ｄが形成されている。リブ１ｃの高さ寸法及び溝１ｄの深さ寸法は、スイッチ操作部２のベース部２ａの一端側を溝１ｄ内部に納めた場合、スイッチ操作部２のベース部２ａの裏面側（突起部２ｃが形成されている側）の面の一部が、ベース部２ａの幅寸法の略半分にわたって、リブ１ｃに当接し支持されるように構成されている。
【００１４】
図２及び図３に示したベース５及びカバー１を組み合わせた状態を図１に基いて説明する。図１に示すように、本発明のドアホン装置のベース５に、スイッチ操作部２及びカバー１を取り付けた場合、スイッチ操作部２のベース部２ａは、ベース５に形成されたリブ５ｆ及びカバー１に形成されたリブ１ｃの双方によって支持されるようになる。このように構成することによって、ベース５に形成されたリブ５ｆ，及び，カバー１に形成されたリブ１ｃの双方の高さ寸法を小さくできるので、リブ５ｆ及びリブ１ｃの折れを防止することができる。
【００１５】
【発明の効果】
請求項１記載のドアホン装置によれば、スイッチ操作部を摺動自在に支持するリブを、カバー及びベースに形成し、それらのリブによってスイッチ操作部を支持するように構成したので、個々のリブの高さ寸法を小さくできリブの折れを防止することができる。
【図面の簡単な説明】
【図１】本発明のドアホン装置のベース５に、スイッチ操作部２及びカバー１を取り付けた状態を示す図で、（ａ）は外側側面図、（ｂ）は部分断面図である。
【図２】本発明のドアホン装置のベース５を示す図で、（ａ）は平面図、（ｂ）はＢ−Ｂ断面図、（ｃ）は外側側面図である。
【図３】本発明のドアホン装置のカバー１を示す図で、（ａ）は平面図、（ｂ）はセンターライン断面図、（ｃ）は外側側面図である。本発明のドアホン装置のカバーにスピーカーを取り付けた状態を示す平面図である。
【図４】従来のドアホン装置のドアホン親機の概略構造を示す分解斜視図である。
【図５】従来のドアホン装置のベース５を示す図で、（ａ）は平面図、（ｂ）はＡ−Ａ断面図、（ｃ）は外側側面図である。
【図６】従来のドアホン装置のベース５にスイッチ操作部２、カバー１を取り付けた状態を示す側面方向の部分断面図である。
【符号の説明】
１                カバー
１ｂ，５ａ        切り欠き部
１ｃ，５ｆ        リブ
２                スイッチ操作部
５                ベース
【図１】
0003684900.tif 000002
【図２】
0003684900.tif 000003
【図３】
0003684900.tif 000004
【図４】
0003684900.tif 000005
【図５】
0003684900.tif 000006
【図６】
0003684900.tif 000007